(57)【要約】  泡立て器は、シャフトを電気により回転させるためのハンドツールに取り付ける第１の端部１２と、反対側にある第２の端部１４とを持つシャフト１０を有する。ワイヤの組は、泡立て部１７を形成するために、前記第２の端部から延在し、各々のワイヤはループを形成する。各ループは、一対の凹側と、泡立て器の先端領域２０において２つの凹側の端部と接合する凸状の頭部とを持つ。凸状の頭部は、この頭部の真ん中よりも頭部の外縁の方がより小さな曲率半径を持つ。
2019508164.tif 000002
【特許請求の範囲】
【請求項１】
シャフトを電気により回転させるためのハンドツールに取り付ける第１の端部、及び反対側にある第２の端部を有するシャフト、
泡立て部を形成するために、前記第２の端部から延在し、各々がループを形成しているワイヤの組
を有する泡立て器において、各ループは、一対の凹側と、前記泡立て器の先端領域において２つの前記凹側の端部と接合する凸状の頭部とを持ち、前記凸状の頭部は、前記頭部の中心よりも前記頭部の外縁の方がより小さな曲率半径を持つ、泡立て器。
【請求項２】
前記凸状の頭部の幅（ｗ）は、４０ｍｍから７０ｍｍの範囲にある、請求項１に記載の泡立て器。
【請求項３】
前記凸状の頭部の幅（ｗ）は、５０ｍｍから６０ｍｍの範囲にある、請求項２に記載の泡立て器。
【請求項４】
各ループの高さ（Ｈ）は、１００ｍｍから１４０ｍｍの範囲にある、請求項１乃至３の何れか一項に記載の泡立て器。
【請求項５】
各ループの高さ（Ｈ）は、１１０ｍｍから１２０ｍｍの範囲にある、請求項４に記載の泡立て器。
【請求項６】
各ループは異なる高さを有する、請求項１乃至５の何れか一項に記載の泡立て器。
【請求項７】
前記ワイヤの組は、６本のワイヤを有する、請求項１乃至６の何れか一項に記載の泡立て器。
【請求項８】
前記６本のワイヤは、かごを形成するために規則的に角度離間される、請求項７に記載の泡立て器。
【請求項９】
前記先端領域の高さ（ｄ）は、１０ｍｍから２５ｍｍの範囲にある、請求項１乃至８の何れか一項に記載の泡立て器。
【請求項１０】
前記先端領域の高さよりも大きい液体の深さ（Ｄ）を泡立てるのに適応する、請求項１乃至９の何れか一項に記載の泡立て器。
【請求項１１】
前記シャフトの前記第２の端部と前記泡立て部との間に接続部を有する、請求項１乃至１０の何れか一項に記載の泡立て器。
【請求項１２】
前記シャフトの前記第１の端部の方に手動のハンドルをさらに有する、請求項１乃至１１の何れか一項に記載の泡立て器。
【請求項１３】
本体、
前記本体内にあるモーター、
アクセサリーのシャフトを収容するための開口、及び
請求項１乃至１２の何れか一項に記載の泡立て器
を有する手持ち式の電気ミキサー。
【発明の詳細な説明】
【技術分野】
【０００１】
本発明は、バルーン型泡立て器(ballon whisk)に関し、特に手持ち式(hand held)の台所用の電気ミキサー用のバルーン型泡立て器のアタッチメントに関する。
【背景技術】
【０００２】
家庭用に、材料を泡立てるための２つの主な種類のアクセサリーがある。一方は、ミキサーマシンにより駆動する泡立て器（ビーター）であり、他方は、ユーザにより手動で操作する泡立て器（ウィスク）である。
【０００３】
ミキサーマシンと共に使用するビーターは通例、１つの泡立て部又は同調して回転する一対の泡立て部を有する。泡立て部又は２つの泡立て部は、ワイヤフレームを有し、例えば（細長い方の軸に沿って見たとき）２本又は３本の実質的に矩形のワイヤの組が十字形又は六角形の星を形成する。これらワイヤは、泡立て器の先端で一緒に接続され、剛構造を形成する。２つの泡立て部が使用されるとき、これらの泡立て部は一緒にかみ合うように配される。そのような泡立て器の手動のバージョンも知られている。
【０００４】
いわゆるバルーン型泡立て器は、消費者に人気があり、一般的に手動で使用される。このバルーン型泡立て器は、１つの泡立て部であり、再び複数のワイヤ（バルーン形状の）ループを有するワイヤフレームとして形成される。これらは一般的に涙型のかご(cage)を一緒に形成する６本又はそれ以上のワイヤが存在し、消費者が泡立て器を簡単に握るために、泡立て器の上にキャップを備える。
【０００５】
これらワイヤは、全体的な構成がビーターのデザインよりも剛性が劣るように、一緒に接続されていない。それは、泡立て器が泡立て中により多くの空気が取り込まれることを可能にすることを意味している。
【０００６】
両方のデザインにおいて、ワイヤは、シリコーン又はナイロンのカバーで囲まれた金属ワイヤ又はベアメタル(bare metal)ワイヤとすることができる。
【０００７】
手持ち式の電気ミキサー用のバルーン型泡立て器のアタッチメントも存在している。
【０００８】
ビーター及びバルーン型泡立て器は例えば、卵白及びクリームを泡立てるのに使用される。卵白を泡立てるとき、消費者は普通、例えば２個の卵白から１２個の卵白までのような少量の卵で作業する必要がある。クリームに対しては、消費者は通例、１００ｍｌから７５０ｍｌまでの範囲のクリームで作業する。
【０００９】
手持ち式のミキサー用のビーター及び泡立て器のアタッチメントは、一端の外形がミキサーのモーターのギア内に組み込まれているアダプターにより締め付けられる金属シャフトを有する。ビーターは非常に高速で回転する。ビーターの回転速度が高いので、泡立ては短時間で行われ、通常は、ミキサーを用いて卵白を泡立てるのに約１分から３分かかり、クリームを泡立てるのに３分から８分かかる。
【発明の概要】
【発明が解決しようとする課題】
【００１０】
バルーン型泡立て器のアタッチメントの使用が抱える問題は、引き起こされるはね(splashing)の量である。その上、少量が泡立てられるとき、効率は下がる。
【課題を解決するための手段】
【００１１】
本発明は請求項により規定される。
【００１２】
本発明の態様に従う例に従い、
シャフトを電気により回転させるためのハンドツールに取り付けられる第１の端部、及び反対側にある第２の端部を有するシャフト、
泡立て部を形成するために、前記第２の端部から延在し、各々がループを形成しているワイヤの組
を有する泡立て器であり、各ループは、一対の凹側と、泡立て器の先端領域において２つの凹側の端部と接合している凸状の頭部とを持つ。
【００１３】
このデザインは、従来のバルーン型を泡立て器の先端領域に続く凹部と、先端領域の凸部とに置き替えている。凹部は、前記先端領域まで泡立て器の幅を小さく保つので、泡立て機能は、その先端領域により集中される。これははねを減らす。泡立て器は、少量（特に浅い深さ）を泡立てるのに使用されることも意味している。
【００１４】
凸状の頭部の幅は例えば、４０ｍｍから７０ｍｍの範囲にある。これは、少量の液体を泡立てるのに適した、小さな全幅を提供する。
【００１５】
凹側が凸状の頭部に接合される場合、これらは概ね円錐形状を持つ外殻を一緒に形成する。
【００１６】
"凹"及び"凸"という言葉に対し使用される座標系は泡立て器の外側である。従って、凹は泡立て器の本体へ内側に湾曲することを意味し、凸は泡立て器の本体から外側へ湾曲することを意味する。
【００１７】
凸状の頭部の幅は、５０ｍｍから６０ｍｍの範囲、例えば５５ｍｍである。この小さな直径は、はねを減らすのに役立つ一方、効果的な泡立てを可能にする。
【００１８】
各ループの高さは好ましくは１００ｍｍから１４０ｍｍの範囲にある。各ループの高さは例えば、１１０ｍｍから１２０ｍｍの範囲、例えば１１５ｍｍである。
【００１９】
各ワイヤのループは例えば、異なる高さを持つ。このような方法で、ループは互いに干渉せず、代わりに独立して立っているワイヤのループとなる。しかしながら、全てのループの高さは、ループの全てが泡立て器の先端領域に到達するような高さである。
【００２０】
前記ワイヤの組は、６本のワイヤ（すなわち６本のワイヤのループ）を有するので、泡立て部の周りに１２本のワイヤ部分が存在する。これら６本のワイヤ（及び故に１２本のワイヤ部分）は、かごを形成するために規則的に角度離間される。
【００２１】
前記先端領域の高さは好ましくは１０ｍｍから２５ｍｍの範囲にある。この先端領域は、全てのワイヤが凸状の頭部を持つ部分である。これら頭部は好ましくは、従来のビーターのワイヤとは異なり、一緒に接続されていない。泡立て器の最大の直径は、凸状の頭部と凹側との間にある接合部分にある。
【００２２】
低い高さの先端領域を持つことにより、最大の直径を持つ泡立て部は、泡立てられる液体の表面より下になるように設計されることができる。
【００２３】
泡立て器は好ましくは、先端領域の高さよりも大きい深さの液体を泡立てるのに適応する。
【００２４】
シャフトの第２の端部と泡立て部との間に接続部が好ましくは設けられる。シャフトの第１の端部は、駆動カップリングを有する。これは泡立て器がミキサーにより駆動されることを可能にする。シャフトの第１の端部の方に手動のハンドルが設けられてもよい。このような方法で、泡立て器は、手動で使用されてもよいし又は電気ミキサーに取り付けられてもよい。
【００２５】
本発明は、
本体
前記本体内にあるモーター
アクセサリーのシャフトを収容するための開口、及び
上に規定される泡立て器
を有する手持ち式の電気ミキサーも提供する。
【図面の簡単な説明】
【００２６】
本発明の例は、不随する図面を参照して詳細に開示される。
【図１】泡立て器の側面図及び端面図を示す。
【図２】図１の泡立て器の分解組立図を示す。
【図３】泡立て器の寸法の一例を示す。
【図４】組み立てられた形式の図２のデザインの断面図を示す。
【図５】代替のデザインを示す。
【図６】泡立て器を使用する手持ち式の電気ミキサーを示す。
【発明を実施するための形態】
【００２７】
本発明は、シャフトを電気により回転させるためのハンドツールに取り付けるための第１の端部、及び反対側の第２の端部を持つシャフトを有する泡立て器を供給する。ワイヤの組は前記第２の端部から延在して泡立て部を形成し、各ワイヤはループを形成している。各ループは、一対の凹側と、泡立て器の先端領域において２つの凹側の端部と接合する凸状の頭部を持つ。凸状の頭部の幅は例えば、４０ｍｍから７０ｍｍの範囲にある。
【００２８】
図１は、泡立て器の側面図及び端面図を示す。泡立て器は、シャフト１０を電気により回転させるためのハンドツールに取り付けるための第１の端部１２、及び反対側の第２の端部１４を持つシャフト１０を有する。
【００２９】
シャフトを回転させるために、シャフトは、一対の正反対にある突起１５を持つ。これら突起は、混合器の駆動開口内に収まる。
【００３０】
ワイヤの組１６は、泡立て部１７を形成する。各ワイヤ１６は、各ワイヤが泡立て部のシャフト領域１８に沿った２つの正反対にあるワイヤ部を持つように、ループを形成している。これらのワイヤ部は凹側を形成する。凸状の頭部は、泡立て部１７の先端領域２０において、２つの凹側の端部と接合している。
【００３１】
ワイヤが先端領域と遭遇するシャフト領域１８の端部にあるワイヤ１６は一緒に、本質的に円錐形状の外殻を規定する。従って、ワイヤは、ワイヤからなる円形リングを形成し、これらワイヤは、先端領域２０から離れているシャフト領域１８の端部に向けて内側に先細っている。
【００３２】
接続部２２は、シャフト１０の第２の端部１４と泡立て部１７との間に設けられる。
【００３３】
凹側は、前記頭部の外縁から接続部２２までの直線と比較して内側に湾曲している。このように、泡立て部は、高さが低い拡大した頭部を持つ。
【００３４】
この凹側の湾曲は例えば、凹側の端部に接合している直線からの最大偏差がこれら凹側の長さの２０％より小さい、例えばこれら凹側の長さの１０％よりも小さいような曲率である。
【００３５】
凸状の頭部は、真ん中よりも縁部の方がより小さな曲率半径を持つので、再び平坦な頭部が形成される。
【００３６】
このデザインは、ワイヤが一緒に接続されていないという点でバルーン型泡立て器に類似している。しかしながら、これらワイヤはもはやバルーン形状ではなく、新しい形状である。泡立て器は、従来のバルーン型泡立て器よりも小さなサイズでもある。
【００３７】
端面図に示されるように、各々がループを形成している６本のワイヤが存在し、それにより、１２本のワイヤ部及び６つの凸状の頭部を形成している。
【００３８】
故に、全体形状は、シャフト領域１８に沿った凹部と、凸状の先端領域２０とを有する。シャフト領域に沿った凹部は、先端領域まで泡立て器の幅を小さく保つので、泡立て機能は、その先端領域により集中される。これは、はねるのを減らす。泡立て器は、液体の表面より下にある前記先端領域を用いて少量（特に浅い深さ）を泡立てるのに使用されることも意味している。
【００３９】
特に、泡立てる液体の量が少ないときでさえも、直径が最大である泡立て部が液体の表面より下に保たれることが可能である。これは、凸状の先端領域のすぐ後ろの凹側で内側に先細るシャフト領域１８のデザインと組み合わせて、前記先端領域が小さい高さを持つことにより可能となる。これらの特徴を組み合わせて、はねるのを減らすことを可能にする及び少量の液体まで効果的な泡立てを可能にする。
【００４０】
図２は、分解組立図を示す。接続部２２は、ワイヤ及びシャフト１０をつかむための第１のグリップ部２４、並びに外側スリーブ２６を有する。
【００４１】
図３は、泡立て器の寸法の一例を示す。
【００４２】
先端領域２０は、５５ｍｍの幅、及び１０ｍｍから２５ｍｍまでの範囲、例えば２０ｍｍの高さを持つ。シャフト１０は５ｍｍの直径を持つ。接続部２２から先端領域２０の最も外側の先端までの泡立て部１７の高さは、１１５ｍｍである。接続部２２は、１９ｍｍの外径を持つ。
【００４３】
６本のワイヤのループは全て、その最下端を先端領域２０内に持つ。これらループは、接続部２２により単に互いに接続されているだけである。これらループの最下端が重畳するように、これら６つのループは全て僅かに異なる長さを持つ。
【００４４】
６つのループは、１２本のワイヤ１６を形成する、及びこれらワイヤは、底面図に見られるように、３０°の間隔で均等に角度離間されている。各ワイヤは例えば、１．４ｍｍの直径を持つステンレス鋼のワイヤを有し、任意で例えばナイロンで被覆されている。
【００４５】
図４は、組み立てられた形式の図２のデザインの断面図を示す。先端領域の高さはｄで示され、泡立て部１７の高さはＨで示される。凸状の頭部の幅はｗである。泡立て器は、先端領域の高さｄを超える液体の深さＤと共に使用するためである。この深さＤは例えば、泡立て器の正常な使用にとって３０ｍｍである。
【００４６】
図５は、２つ部品からなる内部コネクタ２４ａ、２４ｂを用いた代替のデザインを示す。１つの部品２４ａは、シャフト１０の端部と係合する。泡立て器のワイヤは、両方の部品２４ａ、２４ｂを通り、これらワイヤは、外側スリーブ２６により一緒に結合される。接続部２４ａは、シャフトの回転が接続部２４ａの回転と同伴するように、シャフト１０に結合される。これら２つの接続部は、ワイヤにより提供される結合に加え、これら２つの部品を一緒に結合する外側スリーブ２６内に収まる。
【００４７】
シャフト１０の第１の端部の方に手動のハンドル（図示せず）が設けられてもよい。代わりにコネクタ２２がこの目的に用いられてもよい。
【００４８】
図６は、モーターを持つ本体４０を有する手持ち式の電気ミキサーを示す。泡立て器４２は、この泡立て器のシャフト１０を収容するための開口に取り付けられている。
【００４９】
開示される実施の他の変形例は、図面、本開示及び付随する請求項を学ぶことにより、請求される本発明を実施する当業者により理解及びもたらされ得る。請求項において"有する"という言葉は、それ以外の要素又はステップを排除せず、複数あることを述べなくてもそれらが複数あることを排除しない。ある方法が互いに異なる従属請求項に挙げられているという単なる事実は、これらの方法の組み合わせが有利に使用されることができないことを示していない。
【００５０】
請求項における如何なる参照符号もその範囲を限定するとは考えるべきではない。
【図１】
2019508164.tif 000003
【図２】
2019508164.tif 000004
【図３】
2019508164.tif 000005
【図４】
2019508164.tif 000006
【図５】
2019508164.tif 000007
【図６】
2019508164.tif 000008
【国際調査報告】
2019508164.tif 000009
2019508164.tif 000010
2019508164.tif 000011